(57)【要約】【課題】  複数の検査装置によって得られた画像データを同一検査として診断に用いる場合に、それぞれの検査装置で作成された画像データを、同一検査の画像データとして識別できるようにすることを可能にする診断システム、管理サーバ及び画像データ管理方法を提供すること。【解決手段】  ＲＩＳ（放射線部門管理システム）１から検査識別情報を付加した検査オーダ情報を検査装置２ａ、２ｂに送り、各検査装置において検査オーダ情報に基づいて検査を行い、画像データを作成し、作成されたそれぞれ画像データと検査識別情報とを記憶する記憶手段（３３、３４）を備える。【選択図】      図１
2007007190.tif 000002
【特許請求の範囲】
【請求項１】
検査オーダ情報を受け、前記検査オーダ情報を特定するための検査識別情報を生成し、前記検査オーダ情報と前記検査識別情報とを送信する管理装置と、
前記管理装置から前記検査オーダ情報と前記検査識別情報とを受けて、前記検査オーダ情報に基づいて検査を行い画像データを作成し、前記作成された画像データに前記検査識別情報を付加し送信する複数の検査装置と、
前記複数の検査装置から送信される前記作成された画像データと、前記付加された検査識別情報とを記憶する記憶手段を備えることを特徴とする診断システム。
【請求項２】
入力手段と、
表示手段と、
前記入力手段からの画像表示の指示の入力を受け前記指示に基づいて同じ検査識別情報が付加された画像データを抽出して、前記抽出された画像データに基づいて前記表示手段に画像を表示させる表示制御手段とを更に備える請求項１に記載の診断システム。
【請求項３】
前記検査オーダ情報は部位情報を含み、
前記複数の検査装置は、前記部位情報に基づいて前記検査を行い、前記画像データに更に前記部位情報を付加し、
前記表示制御手段は、前記部位情報に基づいて前記抽出された画像データを部位ごと並び換えて、前記並び換えた順に前記画像を表示させる請求項２に記載の診断システム。
【請求項４】
前記検査オーダ情報は体位情報を含み、
前記複数の検査装置は、前記体位情報に基づいて前記検査を行い、前記画像データに更に前記体位情報を付加し、
前記表示制御手段は、前記体位情報に基づいて前記部位ごと並び換えられた画像データを更に前記体位に関する所定の順に並び換えて、前記並び換えた順に前記画像を表示させる請求項３に記載の診断システム。
【請求項５】
検査オーダ情報を受け、前記検査オーダ情報を特定するための検査識別情報を生成し、前記検査オーダ情報と前記検査識別情報とを送信する管理装置と、
前記管理装置から前記検査オーダ情報と前記検査識別情報とを受けて、前記検査オーダ情報に基づいて検査を行い画像データを作成し、前記画像データをシリーズ毎に区別するシリーズ識別情報を生成し、前記作成された画像データに前記検査識別情報と前記シリーズ識別情報とを付加し送信する複数の検査装置と、
前記複数の検査装置から送信される前記作成された画像データと、前記付加された検査識別情報と前記付加されたシリーズ識別情報を記憶する記憶手段と、
前記画像データが前記記憶手段に記憶されるときに、該画像データに付加された検査識別情報と同じ検査識別情報が付加された画像データが前記記憶手段に既に記憶されているか否かを検索し、前記検索の結果既に記憶されている場合に、前記記憶手段に記憶される前記画像データに付加された前記シリーズ識別情報を前記既に記憶されている画像データに付加されたシリーズ識別情報に書き換えて前記記憶手段に記憶させる書き換え手段とを備えることを特徴とする診断システム。
【請求項６】
入力手段と、
表示手段と、
前記入力手段からの画像表示の指示の入力を受け前記指示に基づいて同じシリーズ識別情報が付加された画像データを抽出して、前記抽出された画像データに基づいて前記表示手段に画像を表示させる表示制御手段とを更に備える請求項５に記載の診断システム。
【請求項７】
前記検査オーダ情報は部位情報を含み、
前記複数の検査装置は、前記部位情報に基づいて前記検査を行い、前記画像データに更に前記部位情報を付加し、
前記表示制御手段は、前記部位情報に基づいて前記抽出された画像データを部位ごと並び換えて、前記並び換えた順に前記画像を表示させる請求項６に記載の診断システム。
【請求項８】
前記検査オーダ情報は体位情報を含み、
前記複数の検査装置は、前記体位情報に基づいて前記検査を行い、前記画像データに更に前記体位情報を付加し、
前記表示制御手段は、前記体位情報に基づいて前記部位ごと並び換えられた画像データを更に前記体位に関する所定の順に並び換えて、前記並び換えた順に前記画像を表示させる請求項７に記載の診断システム。
【請求項９】
画像データと、ＤＩＣＯＭ規格の規定に沿って付加された検査識別情報及びシリーズ識別情報とをネットワークを介して受け記憶する記憶手段と、
新たに画像データと前記検査識別情報及びシリーズ識別情報とを受けたときに、該画像データに付加された検査識別情報と同じ検査識別情報が付加された画像データが前記記憶手段に既に記憶されているか否かを検索し、前記検索の結果既に記憶されている場合に、前記新たに受けた画像データに付加された前記シリーズ識別情報を前記既に記憶されている画像データに付加されたシリーズ識別情報に書き換えて前記記憶手段に記憶させる書き換え手段とを備えることを特徴とする管理サーバ。
【請求項１０】
画像データと、ＤＩＣＯＭ規格の規定に沿って付加された検査識別情報及びシリーズ識別情報とをネットワークを介して受ける段階と、
前記受けた画像データに付加された検査識別情報と同じ検査識別情報が付加された画像データが前記記憶手段に既に記憶されているか否かを検索する段階と、
前記検索の結果記憶されていない場合に、前記受けた画像データと前記受けた画像データに付加された検査識別情報とシリーズ識別情報とを記憶し、前記検索の結果既に記憶されている場合に、前記受けた画像データと前記受けた画像データに付加された検査識別情報と前記受けた画像データに付加された前記シリーズ識別情報を前記既に記憶されている画像データに付加されたシリーズ識別情報に書き換えその書き換えたシリーズ識別情報とを記憶する段階とを含むことを特徴とする画像データ管理方法。
【発明の詳細な説明】
【技術分野】
【０００１】
本発明は、検査の際の被検体の体位がことなる複数の検査装置を備える診断システム、管理サーバ及び画像データ管理方法に関する。
【背景技術】
【０００２】
従来、診断に複数の医用画像を用い比較することがある。例えば、当日画像と過去画像とを並べて表示し表示させて比較読影を行なうために複数のモニタを用いた表示装置がある（例えば、特許文献１参照。）。
【０００３】
また、例えば、放射線部門では、一人の患者に対し、患者を伏した状態で撮影する臥位用検査装置と患者を立たせた状態で撮影する立位用検査装置とを用いて撮影されたそれぞれの医用画像を比較して診断を行う場合がある。これらの検査装置は、例えばＣＲ（Ｃｏｍｐｕｔｅｄ  Ｒａｄｉｏｇｒａｐｈｙ）装置やＦＰＤ（Ｆｌａｔ  Ｐａｎｅｌ  Ｄｅｔｅｃｔｏｒ）装置が用いられ、同じ検査室に設置される場合がある。
【０００４】
例えばＲＩＳ（放射線部門管理システム）から検査オーダ情報を検査室に設置された上述の臥位用検査装置と立位用検査装置とに送り検査依頼を行う。両検査装置では、検査オーダ情報に従って医用画像の撮影が行われ、検査オーダ情報、検査識別情報及びシリーズ識別情報を含む付帯情報が付加された医用画像データが生成される。そして、医用画像データは、例えばサーバに記憶される。そして、コンピュータ端末で構成される画像ビューアなどで検査識別情報及びシリーズ識別情報ごとに医用画像を表示し診断が行なわれる。
【０００５】
ここで、検査オーダ情報は、検査の依頼または検査内容などを指示するため情報である。具体的には、少なくとも患者名または患者ＩＤを含み、その他に、性別、生年月日、検査種別（単純、ＭＲ、ＣＴなど検査装置の種類を特定する情報。ただし本実施の形態の検査装置２ａ及び２ｂは「単純」に該当する。）、部位または体位などの情報を含んでもよい。
【０００６】
また、検査識別情報は、検査オーダ情報を一意に特定するものである。例えば、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格で規定するＳｔｕｄｙ  Ｉｎｓｔａｎｃｅ  ＵＩＤで、一般的には検査装置によって独自のＩＤが付加される。
【０００７】
また、シリーズ識別情報は、検査で得られる画像データのシリーズを区別するためのものである。例えば、シリーズは撮影の仕方により画像データを区別するためのもので、例えばＭＲＩ（Ｍａｇｎｅｔｉｃ  Ｒｅｓｏｎａｎｃｅ  Ｉｍａｇｉｎｇ）では、１つの検査オーダ情報に対するＴ１強調像の画像データとＴ２強調像の画像データにはそれぞれ異なるシリーズ識別情報が付与される。また、一般的には検査装置によって独自のＩＤを付加する。また、シリーズ識別情報は、ＤＩＣＯＭ規格で規定するＳｅｒｉｅｓ  Ｉｎｓｔａｎｃｅ  ＵＩＤである。
【０００８】
【特許文献１】特開２０００−１６６８７８号公報
【発明の開示】
【発明が解決しようとする課題】
【０００９】
したがって、上述の臥位用検査装置と立位用検査装置とを用いた検査では、それぞれの医用画像データは、異なる検査装置で撮影されたものであるため、それぞれに別な検査識別情報が付加される。そのために同じ検査オーダ情報に基づいて行った、診断しようとする共通の関心領域を含む部位の検査（以下、同一検査ということがある）として扱われず、画像ビューアにおいてそれぞれを別々に表示させることになる。
【００１０】
また、同一検査であってもシリーズ識別情報が異なれば、画像ビューアにおいてシリーズごとに別々に表示させることになる。
【００１１】
一方、診断は、異なる体位で撮影された同じ部位の医用画像を比較して行うので、それらの医用画像を比較しやすいように並べて表示したいという要望がある。
【００１２】
そこで、例えば特許文献１に記載のような表示装置の別々のモニタに同時に表示させれば、操作が煩雑なばかりか複数のモニタが必要になる。また、１つのモニタに交互に表示させれば、精確な比較を行なうことは困難となる。また、それぞれを異なるウインドウに表示させるような場合には、所望の画像が並ぶようにウインドウの表示位置や表示内容を操作する必要がある。
【００１３】
本発明は、上記事情に鑑みてなされたものであり、その目的とするところは、複数の検査装置によって得られた画像データを、同一検査の画像データとして識別できるようにすることを可能にする診断システム、管理サーバ及び画像データ管理方法を提供することを目的とする。
【課題を解決するための手段】
【００１４】
上記課題を解決するために請求項１記載の発明は、検査オーダ情報を受け、前記検査オーダ情報を特定するための検査識別情報を生成し、前記検査オーダ情報と前記検査識別情報とを送信する管理装置と、前記管理装置から前記検査オーダ情報と前記検査識別情報とを受けて、前記検査オーダ情報に基づいて検査を行い画像データを作成し、前記作成された画像データに前記検査識別情報を付加し送信する複数の検査装置と、前記複数の検査装置から送信される前記作成された画像データと、前記付加された検査識別情報とを記憶する記憶手段を備えることを特徴としている。
【００１５】
また、請求項２記載の発明は、入力手段と、表示手段と、前記入力手段からの画像表示の指示の入力を受け前記指示に基づいて同じ検査識別情報が付加された画像データを抽出して、前記抽出された画像データに基づいて前記表示手段に画像を表示させる表示制御手段とを更に備えることを特徴としている。
【００１６】
また、請求項３記載の発明は、前記検査オーダ情報は部位情報を含み、前記複数の検査装置は、前記部位情報に基づいて前記検査を行い、前記画像データに更に前記部位情報を付加し、前記表示制御手段は、前記部位情報に基づいて前記抽出された画像データを部位ごと並び換えて、前記並び換えた順に前記画像を表示させることを特徴としている。
【００１７】
また、請求項４記載の発明は、前記検査オーダ情報は体位情報を含み、前記複数の検査装置は、前記体位情報に基づいて前記検査を行い、前記画像データに更に前記体位情報を付加し、前記表示制御手段は、前記体位情報に基づいて前記部位ごと並び換えられた画像データを更に前記体位に関する所定の順に並び換えて、前記並び換えた順に前記画像を表示させることを特徴としている。
【００１８】
また、請求項５記載の発明は、検査オーダ情報を受け、前記検査オーダ情報を特定するための検査識別情報を生成し、前記検査オーダ情報と前記検査識別情報とを送信する管理装置と、前記管理装置から前記検査オーダ情報と前記検査識別情報とを受けて、前記検査オーダ情報に基づいて検査を行い画像データを作成し、前記画像データをシリーズ毎に区別するシリーズ識別情報を生成し、前記作成された画像データに前記検査識別情報と前記シリーズ識別情報とを付加し送信する複数の検査装置と、前記複数の検査装置から送信される前記作成された画像データと、前記付加された検査識別情報と前記付加されたシリーズ識別情報を記憶する記憶手段と、前記画像データが前記記憶手段に記憶されるときに、該画像データに付加された検査識別情報と同じ検査識別情報が付加された画像データが前記記憶手段に既に記憶されているか否かを検索し、前記検索の結果既に記憶されている場合に、前記記憶手段に記憶される前記画像データに付加された前記シリーズ識別情報を前記既に記憶されている画像データに付加されたシリーズ識別情報に書き換えて前記記憶手段に記憶させる書き換え手段とを備えることを特徴としている。
【００１９】
また、請求項６記載の発明は、入力手段と、表示手段と、前記入力手段からの画像表示の指示の入力を受け前記指示に基づいて同じシリーズ識別情報が付加された画像データを抽出して、前記抽出された画像データに基づいて前記表示手段に画像を表示させる表示制御手段とを更に備えることを特徴としている。
【００２０】
また、請求項７記載の発明は、前記検査オーダ情報は部位情報を含み、前記複数の検査装置は、前記部位情報に基づいて前記検査を行い、前記画像データに更に前記部位情報を付加し、前記表示制御手段は、前記部位情報に基づいて前記抽出された画像データを部位ごと並び換えて、前記並び換えた順に前記画像を表示させることを特徴としている。
【００２１】
また、請求項８記載の発明は、前記検査オーダ情報は体位情報を含み、前記複数の検査装置は、前記体位情報に基づいて前記検査を行い、前記画像データに更に前記体位情報を付加し、前記表示制御手段は、前記体位情報に基づいて前記部位ごと並び換えられた画像データを更に前記体位に関する所定の順に並び換えて、前記並び換えた順に前記画像を表示させることを特徴としている。
【００２２】
また、請求項９記載の発明は、画像データと、ＤＩＣＯＭ規格の規定に沿って付加された検査識別情報及びシリーズ識別情報とをネットワークを介して受け記憶する記憶手段と、新たに画像データと前記検査識別情報及びシリーズ識別情報とを受けたときに、該画像データに付加された検査識別情報と同じ検査識別情報が付加された画像データが前記記憶手段に既に記憶されているか否かを検索し、前記検索の結果既に記憶されている場合に、前記新たに受けた画像データに付加された前記シリーズ識別情報を前記既に記憶されている画像データに付加されたシリーズ識別情報に書き換えて前記記憶手段に記憶させる書き換え手段とを備えることを特徴としている。
【００２３】
また、請求項１０記載の発明は、画像データと、ＤＩＣＯＭ規格の規定に沿って付加された検査識別情報及びシリーズ識別情報とをネットワークを介して受ける段階と、前記受けた画像データに付加された検査識別情報と同じ検査識別情報が付加された画像データが前記記憶手段に既に記憶されているか否かを検索する段階と、前記検索の結果記憶されていない場合に、前記受けた画像データと前記受けた画像データに付加された検査識別情報とシリーズ識別情報とを記憶し、前記検索の結果既に記憶されている場合に、前記受けた画像データと前記受けた画像データに付加された検査識別情報と前記受けた画像データに付加された前記シリーズ識別情報を前記既に記憶されている画像データに付加されたシリーズ識別情報に書き換えその書き換えたシリーズ識別情報とを記憶する段階とを含むことを特徴としている。
【発明の効果】
【００２４】
本発明にかかる診断システム、管理サーバ及び画像データ管理方法よれば、同じ検査オーダ情報に基づいて複数の検査装置で作成された画像データに同一の検査識別情報を付すことができるので、同一検査による画像データとして識別することが可能となる。
【発明を実施するための最良の形態】
【００２５】
〈第１の実施形態〉
以下、本発明に係る第１の実施の形態としての放射線部門システムを図面を参照しつつ説明する。
【００２６】
〔システム構成〕
図１は、放射線部門システムの一実施形態の構成を示すブロック図である。図１に示すように、本放射線部門システムは、ＲＩＳ（放射線部門管理システム）１（管理手段）、検査装置２ａ及び２ｂ（検査装置２ａ及び２ｂを纏めて検査装置２ということがある。）及び画像ビューア３を含んで構成され、それぞれ専用通信回線やインターネット等のネットワークＮを介して接続されている。検査装置２ａ及び２ｂはそれぞれＸ線を照射し撮影を行うＸ線診断装置である。また、本実施の形態では、例えば、検査装置２ａは患者を伏した状態で撮影する臥位用のＣＲ（Ｃｏｍｐｕｔｅｄ  Ｒａｄｉｏｇｒａｐｈｙ）装置、検査装置２ｂは患者を立たせた状態で撮影する立位用のＦＰＤ（Ｆｌａｔ  Ｐａｎｅｌ  Ｄｅｔｅｃｔｏｒ）装置である。
【００２７】
ＲＩＳ１は、いわゆるサーバで構成され、検査情報入力手段１１、検査識別情報生成手段１２及び検査情報通信手段１３を備えている。
【００２８】
検査情報入力手段１１は、検査の依頼または検査内容などを指示するための検査オーダ情報を入力するための入力手段である。検査オーダ情報は、〔背景技術〕で述べたように、具体的には、少なくとも患者名または患者ＩＤを含み、その他に、性別、生年月日、検査種別（単純、ＭＲ、ＣＴなど検査装置の種類を特定する情報。ただし本実施の形態の検査装置２ａ及び２ｂは「単純」に該当する。）、部位または体位などの情報を含んでもよい。また、上述の患者名、患者ＩＤ、性別及び生年月日などの情報を患者基本情報、検査種別、部位及び体位などの情報を検査依頼情報という。なお、入力する情報がコード化されている場合もある。また、検査情報入力手段１１の代わりに、ＨＩＳ（病院情報システム）から検査オーダ情報を受け付ける検査手段受付手段を備えてもよい。
【００２９】
検査識別情報生成手段１２は、〔背景技術〕で述べた検査オーダ情報を一意に特定する検査識別情報を生成する。検査識別情報は、例えば、本実施の形態において、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）規格で規定するＳｔｕｄｙ  Ｉｎｓｔａｎｃｅ  ＵＩＤを用いる。
【００３０】
検査情報通信手段１３は、検査オーダ情報に検査識別情報を付与する検査識別情報付与手段としての機能と、検査識別情報が付与された検査オーダ情報を検査情報として検査装置２ａまたは２ｂに送信する送信手段としての機能を有する。このように検査識別情報をＲＩＳ１から検査装置２に送ることはＤＩＣＯＭ規格上可能である。
【００３１】
検査情報通信手段１３は、検査オーダ情報が検査装置２ａまたは２ｂの中のいずれか１台を使用する検査であることを示す場合、すなわち、例えば、ある部位に対し撮影する体位が〔臥位〕である検査オーダ情報の場合には、その検査オーダ情報を特定する検査識別情報を付与し検査情報として検査装置２ａに送信する。一方、検査オーダ情報が検査装置２ａ及び２ｂを使用する検査であることを示す場合、すなわち、ある部位に対し撮影する体位が〔臥位〕及び〔立位〕の両方である検査オーダ情報の場合には、その検査オーダ情報を特定する検査識別情報を付与し検査情報として検査装置２ａ及び２ｂの両方に送信する。したがって、複数の検査装置を使用する同一検査の場合でも、それぞれの検査装置に診断しようとする共通の関心領域を含む部位の検査である同一検査を示すように同じ検査識別情報を付与することができる。
【００３２】
検査装置２ａ及び２ｂは、上述したようなＸ線診断装置で、それぞれに、検査情報通信手段２１ａ及び２１ｂ（検査情報通信手段２１ａ及び２１ｂを纏めて検査情報通信手段２１ということがある。）、撮影手段２２ａ及び２２ｂ（撮影手段２２ａ及び２２ｂを纏めて撮影手段２２ということがある。）、画像データ作成手段２３ａ及び２３ｂ（画像データ作成手段２３ａ及び２３ｂを纏めて画像データ作成手段２３ということがある。）及び画像データ通信手段２４ａ及び２４ｂ（画像データ通信手段２４ａ及び２４ｂを纏めて画像データ通信手段２４ということがある。）を備えている。
【００３３】
検査情報通信手段２１は、ＲＩＳ１から検査情報を受信し、検査情報を撮影手段２２及び画像データ作成手段２３に送出する。
【００３４】
撮影手段２２は、Ｘ線撮影を行うためのもので、上述したが撮影手段２２ａは臥位用の撮影手段で、撮影手段２２ｂは立位用の撮影手段である。検査情報を受けると、作業者が検査装置２２を操作して、検査情報に基づいてこの撮影手段２２で撮影を行う。撮影手段２２は、撮影により得られたデータを所定の処理を行って、画像ピクセルデータを作成し、画像データ作成手段２３に送る。
【００３５】
画像データ作成手段２３は、受信した検査情報と検査装置を識別するための検査装置識別情報と〔背景技術〕で述べた同一検査で得られる画像データのシリーズを区別するためのシリーズ識別情報とを付帯情報として生成された画像ピクセルデータに付加し、ＤＩＣＯＭ規格の画像フォーマット化して画像データを作成する。画像データは、図２に示すように画像ピクセルデータと、付帯情報として患者基本情報、検査依頼情報、検査識別情報、検査装置識別情報及びシリーズ識別情報とを含んで構成されている。
【００３６】
シリーズ識別情報は、本実施の形態においてＤＩＣＯＭ規格で規定するＳｅｒｉｅｓ  Ｉｎｓｔａｎｃｅ  ＵＩＤを用いる。Ｓｅｒｉｅｓ  Ｉｎｓｔａｎｃｅ  ＵＩＤを用いる。同一検査の中で、画像データのシリーズを区別するためのもので、例えば、シリーズは撮影の仕方により区別され、画像データにはその撮影の仕方に応じてそれぞれに異なるシリーズ識別情報が与えられる。またこれは、装置ごとに独自のものが与えられる。ただし、本例の場合には、検査装置２ａまたは検査装置２ｂにおいてそれぞれの検査装置内での撮影の仕方を区別ことはなく、検査装置２ａと検査装置２ｂとで異なるシリーズ識別情報が与えたれる。したがって、同一検査であっても検査装置２ａによる画像データと検査装置２ｂによる画像データにはそれぞれに異なるシリーズ識別情報が与えたれることになる。また、上記した患者基本情報、検査識別情報及びシリーズ識別情報によって、図３に示すような階層が構成される。
【００３７】
画像データ通信手段２４は、作成された画像データを画像ビューア３に送信する送信手段としての機能を有する。
【００３８】
画像ビューア３は、いわゆるコンピュータ端末で構成され、画像データ通信手段３１、画像データ保存手段３３、画像データソート手段３４、画像表示制御手段３５、表示手段３６及び入力手段３２を備えている。
【００３９】
画像データ通信手段３１は、検査装置２から画像データを受信する。そして、受信した画像データを画像データ保存手段３３に保存し、付帯情報と画像データの保存先へのデータパス情報とを画像データソート手段３４に送る。
【００４０】
画像データソート手段３４は、付帯情報とデータパス情報を図４に示すような構成のデータベースを用いてレコードとして管理する。図４に示すように、データベースには、付帯情報とデータパス情報を関連付けられ、各種管理番号が付されて、画像データごとに各種項目について管理されている。例えば、レコード番号０００１〜０００４のレコードは、検査識別情報が「ＳＴＤ１」で同一検査であることを示している。一方、シリーズ識別情報は、０００１及び０００２では「ＳＲＳ１．１」、０００３及び０００４では「ＳＲＳ１．２」で、０００１及び０００２と０００３及び０００４とでは異なっている。ここで、体位の項目を参照すると、０００１及び０００２は「立位」、０００３及び０００４は「臥位」となっており、シリーズ識別情報は装置の違いにより異なっていることがわかる。また、実際にはテーブルを分けたリレーショナルデータベースの形態で実装されることも多いが、説明を簡略するために、全てのレコードが１つになっているものとした。また、図４に示す項目は説明簡略化のため代表的なものを示したもので、実際には図４に示されて項目を含んでいる。
【００４１】
また、画像データソート手段３４は、画像表示を行うときに用いる検査リストを表示手段３６に表示するための検査リスト情報を検査識別情報に基づいて生成するリスト生成手段としての機能を有する。ここで、検査リストは、図５に示すように検査が選択可能に並べて表示されるリストである。
【００４２】
また、入力手段３２を用いて検査リストから選択された検査について、検査識別情報に基づいてデータベースから同一検査のレコードを抽出する抽出手段としての機能と、異なる体位で撮影された同じ部位の画像を並べて表示するように抽出したレコードを並び換える並び換え手段としての機能を有する。
【００４３】
例えば、図４に示すデータベースの「ＳＴＤ１」の検査識別情報の検査が検査リストを用いて選択された場合（ただし、図５の検査リストには「ＳＴＤ１」は示されていないが、例えば「１００１  某太郎  単純・・・／２／２８」が「ＳＴＤ１」に対応する検査とし、これが選択された場合）に、画像データソート手段３４は、データベースから、「ＳＴＤ１」の検査識別情報を含むレコードすなわちレコード番号が０００１、０００２、０００３及び０００４のレコードを抽出する。さらに、抽出したレコードに関し、まず、部位が胸部、腹部の順になるように並び換え、さらに各部位で体位が立位、臥位の順になるように並び換える。並び換えた結果を図６に示す。図６に示すように、レコードは、胸部についてのレコードが立位、臥位の順に、さらに、腹部についてのレコードが立位、臥位の順になっている。
【００４４】
入力手段３２は、画像表示などの各種入力を行うためのもので、キーボード等の入力デバイスや、マウス・トラックボール等のポインティングデバイスから構成されている。また、作業者が入力手段３２を操作して表示手段３６に入力用の画像を表示させて入力操作を行うことも可能である。
【００４５】
ここで、本発明の「記憶手段」は、画像データ通信手段３１、画像データ保存手段３３、及び、画像データソート手段３４を含んで構成され、本発明での「記憶する」は上述の説明では「保存する」と表現した。
【００４６】
表示手段３６は、ＬＣＤやＣＲＴなど、通常のモニタ装置により構成される。
【００４７】
画像表示制御手段３５は、画像データソート手段３４で生成される検査リスト情報に基づく検査リストを表示手段３６に表示させる。また、画像データ保存手段３３に保存された画像データを、画像データソート手段３４で並び換えられたレコードの順に画像を並べて表示手段３６に表示させる。例えば、図６の示したレコードの順に図７に示すように胸部の画像の立位と臥位が並んで、腹部の画像の立位と臥位が並んで表示される。
【００４８】
（動作態様）
本実施形態の当該システムを用いたワークフローについても触れながら、画像ビューア３の動作態様の一例について説明する。
【００４９】
まず、検査の依頼〜画像データの保存の手順について説明する。ＲＩＳ１で検査情報入力手段１１を用いて、検査オーダ情報が入力されると、検査識別情報生成手段１２は、検査識別情報を生成する。そして、検査情報通信手段１３は、検査オーダ情報に検査識別情報を付与し検査情報として検査装置２ａまたは２ｂに送信する。
【００５０】
次に、検査装置２ａまたは２ｂは、検査情報を受けると、作業者が検査情報に基づいて撮影を行う。撮影手段２２は、撮影により得られたデータを所定の処理を行って、画像ピクセルデータを作成し、画像データ作成手段２３に送る。画像データ作成手段２３は、受信した検査情報と検査装置を識別するための検査装置識別情報とシリーズ識別情報とを付帯情報として生成された画像ピクセルデータに付加し、ＤＩＣＯＭ規格の画像フォーマット化して画像データを作成する。作成された画像データは、画像データ通信手段２４を介して、画像ビューア３に送信される。
【００５１】
そして、画像ビューア３の画像データ通信手段３１は、検査装置２から画像データを受信し、画像データを画像データ保存手段３３に保存し、付帯情報と画像データの保存先へのデータパス情報とを画像データソート手段３４のデータベースに追加する。
【００５２】
さらに次に、画像ビューア３における画像の表示の手順について図８を用いて説明する。図８は、本システムにおける画像ビューア３における画像の表示の手順の一例を示すフローチャートである。
【００５３】
まず、作業者により入力手段３２を用いて検査リストを表示するように入力がなされると（ステップＳ１０１、Ｙ。以下、ステップＳ１０１を省略してＳ１０１と表示する。他のステップも同様に省略して表示する。）、画像データソート手段３４は、検査リスト情報を生成し、画像表示制御手段３５は、検査リスト情報に基づいて検査リスト（図５参照）を表示手段３６に表示させる（Ｓ１０２）。作業者により入力手段３２を用いて検査の選択の入力がなされると（Ｓ１０３、Ｙ）、画像データソート手段３４は、選択された検査について、検査識別情報に基づいてデータベースから同一検査のレコードを抽出し、異なる体位で撮影された同じ部位の画像を並べて表示するように抽出したレコードを並び換える（図６参照）（Ｓ１０４）。そして、画像表示制御手段３５は、画像データソート手段３４で並び換えられたレコードの順に画像データ保存手段３３に保存された画像データの画像を並べて表示手段３６に表示させる（図７参照）（Ｓ１０５）。
【００５４】
以上述べたように、検査が異なる診断装置を用いて行われた場合であっても、同一検査で得られた画像を纏めて表示することができる。また、画像を比較して診断する場合に部位ごと体位ごとに並べて表示することができる。
【００５５】
また、本システムに管理サーバを備え、画像データ保存手段３３の機能を画像サーバが有するようにしてもよい。また、管理サーバがさらに画像データソート手段３４の機能を有し、画像ビューアから検査についての画像の表示要求を受けて、レコードの抽出、並び換えを行うようにすることも可能である。
【００５６】
また、例えば入力手段を用いて入力される番号を同一検査の画像データのそれぞれに与える機能、若しくは、作成順序を示す番号、例えばレコード番号を入力手段を用いて入力される番号に書き換える機能を画像データソート手段３４に備え、さらに、与えられた、若しくは書き換えられた番号でレコードを並び換える機能を備えるようにしてもよい。これにより、番号の付与若しくは書き換え順に画像を表示することが可能となる。
【００５７】
〈第２の実施形態〉
本発明に係る第２の実施形態としての放射線部門システムについて説明する。上述した第１の実施形態では、画像ビューア３において画像データソート手段３４は、検査リストを用いて選択された検査について、検査識別情報に基づいてデータベースから同一検査のレコードを抽出するものであった。本実施の形態においては、検査リストを用いて選択された検査からさらにシリーズを選択するようにし、画像データソート手段３４は、選択されたシリーズについて、シリーズ識別情報に基づいてデータベースからレコードを抽出するものである。したがって、本実施の形態の画像ビューア３はシリーズごとの画像を表示させることになるが、本実施の形態は、このような画像ビューア３において、同一検査の画像を纏めて表示させるようにしたものである。なお、以下には第１の実施の形態と実質的に同様の構成については、詳細な説明を省略し、主に異なる点について述べる。
【００５８】
まず、画像データソート手段３４のリスト生成手段は、第１の実施の形態同様に検査リスト情報を生成する機能と、さらに、入力手段３２を用いて検査リストから選択された検査について、その検査に含まれるシリーズを表示手段３６に表示するためのシリーズリスト情報をシリーズ識別情報に基づいて生成する機能を有する。つまり、図９に示すように、検査リストで検査が選択されると、選択された検査についてのシリーズリストが表示されようになる。そして、シリーズリストから入力手段を用いてシリーズを選択するのである。
【００５９】
そして、入力手段３２を用いてシリーズリストから選択されたシリーズについて、シリーズ識別情報に基づいてデータベースからそのシリーズのレコードを抽出する抽出手段としての機能を有する。そして、並び替え手段としての機能を有する。
【００６０】
画像表示制御手段３５は、第１の実施の形態と同様に並び換えられたレコードの順に画像を並べて表示手段３６に表示させるが、並び換えられたレコードは１つのシリーズのものとなる。
【００６１】
本実施の形態においては、上述のように画像を表示する画像ビューア３が、さらに以下の機能を有する。
【００６２】
画像データ通信手段３１は、画像データ保存手段３３を検索し、受信した画像データと同一検査の画像データが画像データ保存手段３３に既に保存されているか否かを検索する検索手段としての機能を有する。具体的には、受信した画像データが有する検査識別情報と画像データ保存手段３３に保存されている画像データの検査識別情報を比較して、同じ検査識別情報の有無を検索する。そして、画像データ通信手段３１は、無の場合（保存されていない場合）に、その画像データを画像データ保存手段３３に保存し、付帯情報と画像データの保存先へのデータパス情報とを画像データソート手段３４に送る。一方、有の場合（既に保存されている場合）に、受信した画像データのシリーズ識別情報を既に保存されている画像データに付されているシリーズ識別情報に書き換え、シリーズ識別情報に書き換える書き換えた画像データを画像データ保存手段３３に保存する書き換え手段としての機能を有し、書き換えた付帯情報と画像データの保存先へのデータパス情報とを画像データソート手段３４に送る。
【００６３】
例えば、既に画像データ保存手段３３に保存されている画像データについて、レコード番号０００１で、検査識別情報が「ＳＴＤ１」、シリーズ識別情報が「ＳＲＳ１．１」であるとする。次に、画像データを受信し、その検査識別情報が「ＳＴＤ１」であれば、レコード番号０００１の画像データと同一検査であると判断し、受信したが送データのシリーズ識別情報を「ＳＲＳ１．１」に書き換えて画像データ保存手段３３に保存し、付帯情報を書き換えてレコード番号０００２に保存する。さらに、検査識別情報が「ＳＴＤ１」である画像データを順次２つ受信したとすると、それらについてもシリーズ識別情報を「ＳＲＳ１．１」に書き換えて画像データ保存手段３３に保存し、付帯情報を書き換えてレコード番号０００３及び０００４に保存する。その結果を図１０に示すが、レコード番号０００１〜０００４のレコードは、検査識別情報とシリーズ識別情報が同一になされ、同一検査で同一シリーズの画像データとなる。
【００６４】
（動作態様）
本実施形態の当該システムの動作態様の一例について、特に第１の実施の形態と異なる点について説明する。
【００６５】
検査の依頼〜検査の実施の手順は、第１の実施の形態と同様で、検査装置２で作成された画像データは、画像データ通信手段２４を介して、画像ビューア３に送信される。
【００６６】
次に、画像ビューア３における画像データ保存の手順について図１１を用いて説明する。図１１は、本システムにおける画像ビューア３の画像データ保存の手順の一例を示すフローチャートである。
【００６７】
画像データ通信手段３１は、画像データを受信すると（Ｓ２０１、Ｙ）、画像データ保存手段３３に受信した画像データと同一検査である画像データが既に保存されているか否か、画像データ保存手段３３を検索する（Ｓ２０２）。同一検査の画像データが既に保存されていなければ（Ｓ２０３、Ｎ）、画像データを画像データ保存手段３３に保存し、付帯情報と画像データの保存先へのデータパス情報とを画像データソート手段３４に保存する（Ｓ２０５）。同一検査の画像データが既に保存されていれば（Ｓ２０３、Ｙ）、受信した画像データのシリーズ識別情報を既に保存されている画像データに付されているシリーズ識別情報に書き換えて（Ｓ２０４）、Ｓ２０５へ遷移する。
【００６８】
本実施の形態の画像ビューア３における画像表示の手順は、第１の実施の形態の同様に検査リストを表示させ、更に検査の選択の入力がなされた後に、シリーズリストを表示させシリーズの選択の入力が行なわれる。ただし、シリーズ識別情報が同じなので、シリーズは１つが表示され、それを選択することになる。画像データソート手段３４は、選択されたシリーズについて、シリーズ識別情報に基づいてデータベースから同一シリーズのレコードを抽出する。以下、第１の実施の形態同様に、並び換え、画像の表示が行われる。
【００６９】
以上説明したように、検査装置から同一検査であるが異なるシリーズの画像データが送信されても、上述のようにシリーズ識別情報を書き換えて同じシリーズのものとすることで、検査装置から送られる同一検査であるが異なるシリーズの画像データを纏めて表示することができる。
【００７０】
また、本システムに管理サーバを備え、管理サーバに上述の画像データ通信手段３１、画像データ保存手段３３及び画像データソート手段３４の機能を備え、画像データ保存手段３３及び画像データソート手段３４には、シリーズ識別情報を書き換えた状態で保存することも可能である。この場合、画像ビューア３でシリーズ選択の入力がなされると、管理サーバが選択されたシリーズの画像データを画像ビューア３に送信し、画像ビューア３の画像表示制御手段３５がその画像データを表示手段３６に表示させることで、同様に検査装置から送られる同一検査であるが異なるシリーズの画像データを纏めて表示することができる。
【図面の簡単な説明】
【００７１】
【図１】本実施の形態に係る放射線部門システムの一実施の形態を示すブロック図である。
【図２】検査装置で生成される画像データの構成の一例を示す図である。
【図３】患者基本情報、検査識別情報及びシリーズ識別情報によって構成される階層を示す図である。
【図４】データベースの構成の１例を示す図である。
【図５】表示手段に表示する検査リストの一例を示す図である。
【図６】データベースのレコードの並び換え結果の一例を示す図である。
【図７】表示手段に表示する画像表示の一例を示す図である。
【図８】画像ビューア３における画像の表示の手順の一例を表すフローチャートである。
【図９】表示手段に表示する検査リスト及びシリーズリストの一例を示す図である。
【図１０】データベースの構成の１例を示す図である。
【図１１】画像ビューア３における画像データの保存手順の一例を表すフローチャートである。
【符号の説明】
【００７２】
１  ＲＩＳ（放射線部門管理システム）
１１  検査情報入力手段
１２  検査識別情報生成手段
１３  検査情報通信手段
２  検査装置
２１  検査情報通信手段
２２  撮影手段
２３  画像データ作成手段
２４  画像データ通信手段
３  画像ビューア
３１  画像データ通信手段
３２  入力手段
３３  画像データ保存手段
３４  画像データソート手段
３５  画像表示制御手段
３６  表示手段
Ｎ  ネットワーク
【図１】
2007007190.tif 000003
【図２】
2007007190.tif 000004
【図３】
2007007190.tif 000005
【図４】
2007007190.tif 000006
【図５】
2007007190.tif 000007
【図６】
2007007190.tif 000008
【図７】
2007007190.tif 000009
【図８】
2007007190.tif 000010
【図９】
2007007190.tif 000011
【図１０】
2007007190.tif 000012
【図１１】
2007007190.tif 000013